(57)【要約】【課題】冷却ファン部材に起因する気流によりステータ等を冷却可能な誘導電動機に関し、より簡易な構成で冷却ファン部材を固定して、冷却性能を向上させ得る誘導電動機を提供する。【解決手段】誘導電動機１は、回転軸２０に固設されたロータ１０と、当該ロータ１０の径方向外側に配設されたステータ４０とを、モータケース５０内部に収容して構成されており、ロータ１０を回転軸２０と共に回転させることにより駆動する。冷却ファン部材３０は、回転軸２０に対して固設されたファン押え部材３５によって、エンドリング１３の軸方向端面に対して密着している。エンドリング１３の各嵌合溝部１４に対して、冷却ファン部材３０の嵌合突条部３２が嵌合する為、冷却ファン部材３０は、ロータ１０及び回転軸２０と共に回転し、気流によってコイルエンド部４２を冷却する。【選択図】図２
2015144513.tif 000002
【特許請求の範囲】
【請求項１】
回転可能に配設された回転軸に対して固設され、前記回転軸とともに回転するロータコアと、前記ロータコアにおける回転軸の周りに分散配置され、前記回転軸方向に延びる導電材により形成される複数のロータバーと、前記回転軸の軸方向における前記ロータコアの端面において、前記複数のロータバーの端部を相互に接続するエンドリングと、を有するロータと、
前記ロータの径方向外側に配設されたステータコアと、前記ステータコアに巻装され導線により構成されるコイルと、前記ステータコアの軸方向端面から軸方向に突出し、前記コイルを構成する導線によりなるコイルエンド部と、を有するステータと、
前記ロータと前記ステータとを内部に収容するハウジングと、を有する誘導電動機であって、
前記エンドリングの軸方向端面に沿って配設され、前記回転軸を中心として回転することで、前記ロータの径方向外側に向かう気流を発生させる冷却ファン部材と、
前記エンドリングの軸方向端面に対して、前記冷却ファン部材を密着させる冷却ファン押え部材と、を有し、
前記冷却ファン部材は、
前記ファン押え部材によって、前記エンドリングの軸方向端面に対して密着されることにより、前記エンドリングに対して回り止めされている
ことを特徴とする誘導電動機。
【請求項２】
請求項１記載の誘導電動機であって、
前記冷却ファン部材は、
前記ファン押え部材によって、前記エンドリングの軸方向端面に対して密着されることで、前記エンドリングに対して嵌合して、前記エンドリングに対して回り止めされている
ことを特徴とする誘導電動機。
【請求項３】
請求項１又は請求項２記載の誘導電動機であって、
前記エンドリングは、
前記エンドリングの表面から凹状に窪み、前記エンドリングの周方向と交差するように伸びた溝部を有し、
前記冷却ファン部材は、
前記エンドリングの表面との接触面に、前記エンドリングの表面に向かって突出形成された突起部を有し、
前記冷却ファン部材は、
前記エンドリングの溝部に対して、前記冷却ファン部材の突起部が嵌合することにより、前記エンドリングに対して回り止めされている
ことを特徴とする誘導電動機。
【請求項４】
請求項３記載の誘導電動機であって、
前記冷却ファン部材における突起部の先端部分を頂点とする突起角度は、前記エンドリングの溝部によって構成される溝角度よりも大きい
ことを特徴とする誘導電動機。
【請求項５】
請求項１乃至請求項４の何れかに記載の誘導電動機であって、
前記冷却ファン部材は、
前記エンドリングの内径側において、前記回転軸を中心として、前記ロータコアの軸方向端面側に向かって窪んだカップ部を有し、
前記ファン押え部材の少なくとも一部は、前記冷却ファン部材における前記カップ部の内側に位置する
ことを特徴とする誘導電動機。
【発明の詳細な説明】
【技術分野】
【０００１】
本発明は、ロータ及びステータを有する誘導電動機に関し、ロータ及び回転軸の回転に伴い、ステータ等を冷却可能な誘導電動機に関する。
【背景技術】
【０００２】
近年、誘導電動機の分野において、当該誘導電動機を構成するロータやステータの発熱量が増大してきている。このような誘導電動機においては、特に、ステータのコイルエンド部の発熱を、如何に効率よく冷却するかといった点が課題となっている
【０００３】
この点に鑑みてなされた発明として、特許文献１や特許文献２記載の発明が知られている。特許文献１、特許文献２記載の発明において、誘導電動機は、回転軸に対して固定されたロータと、ロータの径方向外側にステータとを有しており、回転軸に対して、冷却ファンを固設して有している。従って、特許文献１、特許文献２記載の発明によれば、冷却ファンは、ロータ及び回転軸と共に回転することで、ロータの径方向外側に向かう気流を発生させることができ、この気流により、ステータのコイルエンド部等を冷却し得る。
【先行技術文献】
【特許文献】
【０００４】
【特許文献１】特許第３５２６１７６号公報
【特許文献２】特開平０９−２７８３７２号公報
【発明の概要】
【発明が解決しようとする課題】
【０００５】
しかしながら、特許文献１、特許文献２記載の発明のように、冷却ファンを利用してコイルエンド部を冷却する場合、当該冷却ファンを回転軸の軸方向における位置を、確実に固定すると同時に、ロータ及び回転軸と共に回転するように、確実に回り止めをしておく必要がある。
【０００６】
例えば、特許文献１記載の発明の場合、ファン自体を、ロータコアとスリップリングで挟むことで軸方向に固定し、リベットを用いて回り止めを行っている。又、ファンの固定に関する他の方式としては、回転軸に対するキー溝加工や、スポット溶接を用いるものが知られている。これらの方式を採用した場合、リベット止めの加工作業、スポット溶接の溶接作業や、回転軸に対するキー溝の作成作業等が必要となる為、製造工程の増大を招いてしまっていた。
【０００７】
本発明は、冷却ファン部材に起因する気流によりステータ等を冷却可能な誘導電動機に関し、より簡易な構成で冷却ファン部材を固定して、冷却性能を向上させ得る誘導電動機を提供する。
【課題を解決するための手段】
【０００８】
本発明の一側面に係る誘導電動機は、回転可能に配設された回転軸に対して固設され、前記回転軸とともに回転するロータコアと、前記ロータコアにおける回転軸の周りに分散配置され、前記回転軸方向に延びる導電材により形成される複数のロータバーと、前記回転軸の軸方向における前記ロータコアの端面において、前記複数のロータバーの端部を相互に接続するエンドリングと、を有するロータと、前記ロータの径方向外側に配設されたステータコアと、前記ステータコアに巻装され導線により構成されるコイルと、前記ステータコアの軸方向端面から軸方向に突出し、前記コイルを構成する導線によりなるコイルエンド部と、を有するステータと、前記ロータと前記ステータとを内部に収容するハウジングと、を有する誘導電動機であって、前記エンドリングの軸方向端面に沿って配設され、前記回転軸を中心として回転することで、前記ロータの径方向外側に向かう気流を発生させる冷却ファン部材と、前記エンドリングの軸方向端面に対して、前記冷却ファン部材を密着させる冷却ファン押え部材と、を有し、前記冷却ファン部材は、前記ファン押え部材によって、前記エンドリングの軸方向端面に対して密着されることにより、前記エンドリングに対して回り止めされていることを特徴とする。
【０００９】
当該誘導電動機は、かご形回転子として構成されたロータと、ステータとを、ハウジング内部に有している。ロータは、回転軸と、ロータコアと、複数のロータバー及びエンドリングを有して構成されている。ステータは、ロータの周囲を囲むように形成されたステータコアと、回転磁界を発生させるコイル及びコイルエンド部を有して構成されている。ここで、当該誘導電動機は、ハウジング内部において、エンドリングの軸方向端面に沿って、冷却ファン部材と、ファン押え部材を有している。これにより、冷却ファン部材は、ファン押え部材によって、エンドリングの軸方向端面に対して密着することになるので、当該ファン押え部材は、当該冷却ファン部材の軸方向における位置の固定及び回り止めとして機能する。この結果、当該誘導電動機は、冷却ファン部材とファン押え部材が協働することによって、冷却ファン部材を簡単な構成で固定（軸方向及び回り止め）することができ、冷却ファン部材を、ロータ及び回転軸と共に回転する状態にすることができる。即ち、簡単な構成であるので、製造工程の増大を抑制することができ、冷却ファン部材によって生じる気流で、ステータのコイルエンド部等を冷却することができる。又、冷却ファン部材自身がフィンとして機能し、ロータ（特にエンドリング）の放熱に寄与し得る。
【００１０】
そして、本発明の他の側面に係る誘導電動機は、請求項１記載の誘導電動機であって、前記冷却ファン部材は、前記ファン押え部材によって、前記エンドリングの軸方向端面に対して密着されることで、前記エンドリングに対して嵌合して、前記エンドリングに対して回り止めされていることを特徴とする。
【００１１】
当該誘導電動機によれば、前記冷却ファン部材は、前記ファン押え部材によって、前記エンドリングの軸方向端面に対して密着されることで、前記エンドリングに対して嵌合して、前記エンドリングに対して回り止めされている為、冷却ファン部材とファン押え部材の嵌合部分によって、冷却ファン部材の回り止めを確実に行い得る。この結果、当該誘導電動機は、冷却ファン部材とエンドリングの嵌合という簡単な構成を採用しているので、製造工程の増大を抑制することができ、冷却ファン部材によって生じる気流で、ステータのコイルエンド部等を冷却することができる。
【００１２】
又、本発明の他の側面に係る誘導電動機は、請求項１又は請求項２記載の誘導電動機であって、前記エンドリングは、前記エンドリングの表面から凹状に窪み、前記エンドリングの周方向と交差するように伸びた溝部を有し、前記冷却ファン部材は、前記エンドリングの表面との接触面に、前記エンドリングの表面に向かって突出形成された突起部を有し、前記冷却ファン部材は、前記エンドリングの溝部に対して、前記冷却ファン部材の突起部が嵌合することにより、前記エンドリングに対して回り止めされていることを特徴とする。
【００１３】
当該誘導電動機によれば、エンドリングの溝部に対して、冷却ファン部材の突起部を嵌合させることで、冷却ファン部材の回り止めを行っており、溝部は周方向に交差するように伸びている為、冷却ファン部材の回り止めを確実に行い得る。又、当該誘導電動機は、冷却ファン部材の突起部と、エンドリングの溝部の嵌合という簡単な構成を採用しているので、製造工程の増大を抑制することができ、冷却ファン部材によって生じる気流で、ステータのコイルエンド部等を冷却することができる。
【００１４】
そして、本発明の他の側面に係る誘導電動機は、請求項３記載の誘導電動機であって、前記冷却ファン部材における突起部の先端部分を頂点とする突起角度は、前記エンドリングの溝部によって構成される溝角度よりも大きいことを特徴とする。
【００１５】
当該誘導電動機において、前記冷却ファン部材における突起部の先端部分を頂点とする突起角度は、前記エンドリングの溝部によって構成される溝角度よりも大きい為、溝部に対して突起部を嵌合させる際に、突起部は、ファン押え部材の作用によって、溝部に対して圧入されることになる。この結果、当該誘導電動機によれば、冷却ファン部材の回り止めを、より確実に行うことができる。
【００１６】
又、本発明の他の側面に係る誘導電動機は、請求項１乃至請求項４の何れかに記載の誘導電動機であって、前記冷却ファン部材は、前記エンドリングの内径側において、前記回転軸を中心として、前記ロータコアの軸方向端面側に向かって窪んだカップ部を有し、前記ファン押え部材の少なくとも一部は、前記冷却ファン部材における前記カップ部の内側に位置することを特徴とする。
【００１７】
当該誘導電動機によれば、ファン押え部材の少なくとも一部を、冷却ファン部材のカップ部の内側に配置することで、冷却ファン部材、ファン押え部材を配設して、コイルエンド部等の冷却を図った場合であっても、当該誘導電動機のおける軸方向に対する大型化を抑制することができる。
【図面の簡単な説明】
【００１８】
【図１】本実施形態に係る誘導電動機の概略構成を示す断面図である。
【図２】本実施形態に係る冷却ファン部材の構成を示す外観斜視図である。
【図３】本実施形態に係る誘導電動機のロータを示す外観斜視図である。
【図４】本実施形態に係る冷却ファン部材の取付状態を示す正面図である。
【図５】エンドリングに対する冷却ファン部材の取付状態を示す断面図である。
【図６】エンドリングと冷却ファン部材の嵌合部分を示す拡大断面図である。
【発明を実施するための形態】
【００１９】
以下、本発明に係る誘導電動機を、誘導電動機１に具体化した実施形態について、図面を参照しつつ詳細に説明する。尚、以下の説明においては、誘導電動機１の回転軸２０が載置面に対して平行となるように配置した場合に、当該回転軸２０の軸方向を、誘導電動機１の前後方向とする。そして、この状態の誘導電動機１を基準として、誘導電動機１の上下方向及び左右方向を定義して説明する。
【００２０】
先ず、本実施形態に係る誘導電動機１の概略構成について、図１を参照しつつ詳細に説明する。本実施形態に係る誘導電動機１は、図１に示すように、当該誘導電動機１は、かご型三相誘導電動機であり、かご型回転子として構成されたロータ１０と、当該ロータ１０と共に回転する冷却ファン部材３０と、三相交流電流によって回転磁束を発生させるステータ４０と、により構成されており、モータケース５０内部に収納されている。当該誘導電動機１は、後述するステータ４０から発生する回転磁束と、かご型回転子として構成されたロータ１０のロータバー１２に発生する誘導電流とが鎖交することにより、ロータ１０を回転軸２０と共に回転させる。
【００２１】
本実施形態に係る誘導電動機１のロータ１０は、かご型回転子として構成されており、回転軸２０の軸芯周りに回転可能に固設されている。図１に示すように、ロータ１０は、円筒形状のロータコア１１と、ロータコア１１の周方向に分散配置された複数のロータバー１２と、ロータバー１２の軸方向両端部と接合するエンドリング１３とを有している。
【００２２】
ロータコア１１は、複数の電磁鋼板製のプレートを積層することによって、回転軸２０を取り囲むように円筒形状に構成されており、回転軸２０に対して固定されている。又、当該ロータコア１１の外周面は、ステータ４０の内周面（回転軸２０側の面）と間隔を隔てた状態で対向している。
【００２３】
複数のロータバー１２は、導電材によって中実の棒状に形成されており、ロータコア１１の周方向に沿って、等間隔で分散配置されている。図１に示すように、各ロータバー１２は、ロータコア１１の軸方向に沿って一直線状に延びるように配設されている。各ロータバー１２の長さ寸法は、ロータコア１１の軸方向寸法とほぼ等しく形成されている。
【００２４】
エンドリング１３は、端絡環又は短絡環と呼ばれる部材であり、ロータバー１２と同様に導電材によって、円環状に形成されている（図１、図３等参照）。当該エンドリング１３は、回転軸２０の軸方向におけるロータコア１１の両端面に沿って配設されており、各ロータバー１２の端部に接合されている。これにより、各ロータバー１２は、一対のエンドリング１３と接合されることにより、短絡されている。
【００２５】
そして、エンドリング１３の軸方向端面には、複数の嵌合溝部１４が、当該エンドリング１３の周方向に分散して配置されている。各嵌合溝部１４は、エンドリング１３の軸方向端面の表面から凹状に窪んだ溝状に形成されており、前記エンドリングの周方向と交差する方向（例えば、図４に示すように、径方向）に沿って伸びている。後述するように、各嵌合溝部１４に対しては、冷却ファン部材３０の嵌合突条部３２が夫々嵌合するように構成されている（図５、図６参照）。
【００２６】
尚、各嵌合溝部１４は、図６に示すように、所定の溝角度αとなるように形成されている。この溝角度αは、当該嵌合溝部１４の伸びる方向に鉛直であり、且つ、嵌合溝部１４の内壁面によって形成される角度を意味する。
【００２７】
そして、回転軸２０は、誘導電動機１の鉛直断面におけるステータ４０の中心において、モータケース５０に配設されたベアリング５５を介して、モータケース５０内に回転可能に支持されており、ロータ１０の回転中心として機能する（図１参照）。
【００２８】
そして、当該誘導電動機１においては、冷却ファン部材３０が、前記エンドリング１３の軸方向端面に沿って固設されており、ファン押え部材３５と協働することにより、ロータ１０及び回転軸２０と共に回転するように構成されている。冷却ファン部材３０は、複数の羽根部３１と、複数の嵌合突条部３２と、カップ部３３を有して構成されており、ステータ４０のコイルエンド部４２の内径側において、前記回転軸２０と共に回転する。従って、冷却ファン部材３０は、ロータ１０及び回転軸２０と共に回転することで、前記ロータ１０の径方向外側に向かう気流を発生させることができ、当該気流によって、ステータ４０のコイルエンド部４２を冷却することができる。尚、当該冷却ファン部材３０は、板状の部材に対して曲げ加工、絞り加工を行うことで、複数の羽根部３１と、複数の嵌合突条部３２と、カップ部３３を形成している。
【００２９】
複数の羽根部３１は、当該冷却ファン部材３０の周方向に分散配置するように形成されており、夫々、板状の部材を切断加工及び曲げ加工することにより形成されている。図２に示すように、各羽根部３１は、冷却ファン部材３０の径方向外側における所定部分を切断し、夫々、略垂直に立設するように曲げ加工することで構成される。複数の羽根部３１は、冷却ファン部材３０の回転に伴い、ロータ１０の径方向外側に向かう気流を発生させる機能を果たす。
【００３０】
複数の嵌合突条部３２は、冷却ファン部材３０の周方向に分散配置された各羽根部３１の基端部分を曲げ加工して形成されており、前記エンドリング１３の軸方向端面と接触する接触面に、前記エンドリング１３の表面に向かって突出するように形成されている（図３、図５、図６参照）。そして、各嵌合突条部３２は、夫々、エンドリング１３の嵌合溝部１４に対応するように、周方向に交差する方向（例えば、径方向）に沿って延びている。従って、エンドリング１３の軸方向端面に対して、冷却ファン部材３０を密着させると、各嵌合突条部３２は、夫々、エンドリング１３の各嵌合溝部１４と嵌合する。
【００３１】
尚、図６に示すように、各嵌合突条部３２は、所定の突条角度βとなるように形成されている。この突条角度βは、各嵌合突条部３２の伸びる方向に鉛直であり、且つ、当該嵌合突条部３２の先端部分を頂点する角度であり、上述した嵌合溝部１４の溝角度αよりも大きくなるように設定されている。
【００３２】
そして、カップ部３３は、冷却ファン部材３０を構成する板状部材の中心部（即ち、回転軸２０によって挿通される部分）に対して、絞り加工を施すことによって、一方側に窪んだカップ状に形成されている。図１、図５等に示すように、当該カップ部３３は、エンドリング１３の軸方向端面に沿って、冷却ファン部材３０を配設した場合に、前記エンドリングの内径側において、前記ロータコアの軸方向端面側に向かって窪んだ状態で配設される。
【００３３】
ファン押え部材３５は、エンドリング１３の軸方向端面等と協働することで、冷却ファン部材３０の軸方向における位置を固定する部材であり、回転軸２０に対して固設される。具体的には、図１、図５に示すように、ファン押え部材３５は、冷却ファン部材３０のカップ部３３内部に配設されており、当該冷却ファン部材３０をエンドリング１３の軸方向端面に向かって押圧・密着させている。
【００３４】
図１に示すように、ステータ４０は、モータケース５０内部において固定されており、略円筒形状のステータコア４１と、ステータコア４１に巻装されたステータコイルと、を備えている。ステータコア４１は、複数枚の電磁鋼板を積層して形成された略円筒形状をなす。又、ステータコア４１は、周方向に分散配置されて軸方向に延びる複数のティース及びスロット（図示せず）を有している。各スロットは、夫々、２つのティースの周方向の間に形成されている。
【００３５】
ステータコイルは、導体で構成されており、ステータコア４１に形成された各スロットを通ってティースに巻装されている。上述したように、当該ステータ４０は、三相交流で駆動される誘導電動機のステータである為、Ｕ相、Ｖ相、及びＷ相の三相のステータコイルを備え、各相の交流電流が供給されることによって、回転磁束を発生させる。そして、各相のステータコイルは、ステータコア４１の軸方向端面にかぶさるように、ステータコア４１に形成された複数のスロットを跨って巻装されている。従って、ステータコア４１の軸方向両側には、コイルエンド部４２が、当該ステータ４０におけるステータコイルの一部として、ステータコア４１の軸方向端面から突出するように形成されている。
【００３６】
モータケース５０は、ロータ１０と、ステータ４０とを収容するケースであり、ステータ固定部５１と、フロントケース５２と、リアケース５３とを有している（図１参照）。ステータ固定部５１は、フロントケース５２とリアケース５３との間に位置する筒状の筐体であり、筒状の筐体における内径に対して、ステータコア４１が圧入されることにより、モータケース５０内部の所定位置に、ステータ４０を固定している。
【００３７】
フロントケース５２は、モータケース５０前方側の部分を構成し、ベルト駆動ユニット側におけるロータ１０及びステータ４０を覆っている。フロントケース５２は、前方側の面に、ベアリング５５を有しており、当該ベアリング５５によって、回転軸２０を回転可能に支持している。
【００３８】
そして、リアケース５３は、モータケース５０後方側の部分を構成し、インバータユニット側におけるロータ１０、ステータ４０を覆っている。リアケース５３は、後方側の面に、フロントケース５２と同様に、ベアリング５５を有しており、当該ベアリング５５によって、回転軸２０を回転可能に支持している。
【００３９】
このように構成された誘導電動機１においては、図３、図４に示すように、冷却ファン部材３０における各嵌合突条部３２は、エンドリング１３における各嵌合溝部１４に対応して、ロータ１０の径方向に沿って延びており、夫々、各嵌合溝部１４に対して嵌合している。即ち、嵌合溝部１４及び嵌合突条部３２は、ロータ１０の周方向に交差しているので、ロータ１０に対する冷却ファン部材３０の周方向への移動を規制することができ、冷却ファン部材３０の回り止めとして機能する。特に、キー溝等の加工を省略し、回転軸２０とロータコア１１とを焼嵌め等で固定できる場合、冷却ファン部材３０の為にわざわざキー溝等の加工をする必要が無い。この結果、当該誘導電動機１によれば、嵌合溝部１４及び嵌合突条部３２という簡単な構成によって、冷却ファン部材３０を、ロータ１０及び回転軸２０と共に回転させることができ、コイルエンド部４２へと向かう気流を発生させることができる。
【００４０】
又、図１、図５に示すように、当該誘導電動機１において、ファン押え部材３５は、カップ部３３の内部に固設されており、当該カップ部３３を介して、冷却ファン部材３０をエンドリング１３に軸方向端面に対して押圧・密着させている。これにより、当該誘導電動機１によれば、冷却ファン部材３０の固定に、ファン押え部材３５を用いた場合であっても、ファン押え部材３５がカップ部３３内部に位置するため、誘導電動機１の軸方向への大型化を抑制することができる。
【００４１】
そして、図６に示すように、冷却ファン部材３０の各嵌合突条部３２は、エンドリング１３の嵌合溝部１４と嵌合し、嵌合突条部３２の突条角度βは、嵌合溝部１４の溝角度αよりも大きく形成されている。従って、嵌合溝部１４に対して嵌合突条部３２を嵌合させる場合に、各嵌合突条部３２は、ファン押え部材３５によって作用する押圧力によって、各嵌合溝部１４に対して圧入される。従って、当該誘導電動機１によれば、各嵌合溝部１４に対する各嵌合突条部３２の嵌合を、より強固に行うことができるので、冷却ファン部材３０の回り止めを、より確実に行うことができる。
【００４２】
以上説明したように、本実施形態に係る誘導電動機１は、回転軸２０に固設されたロータ１０と、当該ロータ１０の径方向外側に配設されたステータ４０とを、モータケース５０内部に収容して構成されており、ロータ１０を回転軸２０と共に回転させることにより駆動する。そして、冷却ファン部材３０は、ファン押え部材３５によって、エンドリング１３の軸方向端面に対して密着し、エンドリング１３の各嵌合溝部１４に対して、冷却ファン部材３０の嵌合突条部３２が嵌合することになるので、当該冷却ファン部材の軸方向における位置の固定及び回り止めがなされることになる。
【００４３】
この結果、当該誘導電動機１は、冷却ファン部材３０の嵌合突条部３２と、エンドリング１３の嵌合溝部１４と、ファン押え部材３５が協働することによって、冷却ファン部材３０を簡単な構成で固定（軸方向及び回り止め）することができ、冷却ファン部材３０を、ロータ１０及び回転軸２０と共に回転する状態にすることができる。即ち、簡単な構成であるので、製造工程の増大を抑制することができ、冷却ファン部材３０によって生じる気流で、ステータ４０のコイルエンド部４２等を冷却することができる。
【００４４】
又、誘導電動機１においては、エンドリング１３の各嵌合溝部１４に対して、冷却ファン部材３０の各嵌合突条部３２を嵌合させることで、冷却ファン部材３０の回り止めを行っており、嵌合溝部１４及び嵌合突条部３２は、ロータ１０周方向に交差する径方向に伸びている為、冷却ファン部材３０の回り止めを確実に行い得る。又、当該誘導電動機１によれば、冷却ファン部材３０の各嵌合突条部３２と、エンドリング１３の各嵌合溝部１４の嵌合という簡単な構成を採用しているので、製造工程の増大を抑制することができ、冷却ファン部材３０によって生じる気流で、ステータ４０のコイルエンド部４２等を冷却することができる。
【００４５】
更に、図６に示すように、各嵌合突条部３２の突条角度βは、各嵌合溝部１４の溝角度αよりも大きい為、嵌合溝部１４に対して嵌合突条部３２を嵌合させる際に、嵌合突条部３２は、ファン押え部材３５の作用によって、嵌合溝部１４に対して圧入されることになる。この結果、当該誘導電動機１によれば、嵌合溝部１４、嵌合突条部３２の嵌合を、より強固なものとすることができ、冷却ファン部材３０の回り止めを、より確実に行うことができる。
【００４６】
又、図１、図５に示すように、ファン押え部材３５は、冷却ファン部材３０のカップ部３３内部において、回転軸２０に対して固設され、冷却ファン部材３０をエンドリング１３の軸方向端面に密着させている。従って、当該誘導電動機１によれば、冷却ファン部材３０、ファン押え部材３５を配設して、ステータ４０のコイルエンド部４２等の冷却を図った場合であっても、当該誘導電動機１のおける軸方向に対する大型化を抑制することができる。
【００４７】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、エンドリング１３に対し、嵌合溝部１４を形成し、冷却ファン部材３０に対して嵌合突条部３２を形成していたが、この態様に限定されるものではない。即ち、エンドリング１３と冷却ファン部材３０が嵌合していればよく、エンドリング側に嵌合突条部を形成し、冷却ファン部材側に嵌合溝部を形成してもよい。
【００４８】
又、上述した実施形態では、エンドリング１３の軸方向端面に、嵌合溝部１４を形成し、当該軸方向端面と対向する冷却ファン部材３０の面に、嵌合突条部３２を形成していたが、この態様に限定されるものではない。例えば、エンドリング１３の外径側側面に、嵌合溝部１４を形成し、冷却ファン部材３０には、エンドリング１３の外径側側面に形成された嵌合溝部１４に嵌合可能なように、嵌合突条部３２を形成してもよい。同様に、エンドリング１３の内径側側面に、嵌合溝部１４を形成し、冷却ファン部材３０には、エンドリング１３の内径側側面に形成された嵌合溝部１４に嵌合可能なように、嵌合突条部３２を形成してもよい。
【００４９】
更に、上述した実施形態においては、エンドリング１３の嵌合溝部１４、冷却ファン部材３０の嵌合突条部３２は、ロータ１０の径方向に延びるように形成されていたが、この態様に限定されるものではない。即ち、嵌合溝部１４及び嵌合突条部３２は、ロータ１０の周方向に交差する方向へ延びていればよく、ロータ１０の径方向に対しても交差するように（径方向に対して傾斜した方向）伸びていてもよい。
そして、本発明においては、冷却ファン部材３０は、ロータ１０の軸方向一方のみに設けても、両方に設けてもよい。又、上述した十形態においては、ファン押え部材３５は、回転軸２０と別体としたが、回転軸２０の外周に一体的に設けられていてもよい。
【符号の説明】
【００５０】
１    誘導電動機
１０  ロータ
１２  ロータバー
１３  エンドリング
１４  嵌合溝部
２０  回転軸
３０  冷却ファン部材
３１  フィン部
３２  嵌合突条部
３５  ファン押え部材
４０  ステータ
４２  コイルエンド部
５０  モータケース
α    溝角度
β    突条角度
【図１】
2015144513.tif 000003
【図２】
2015144513.tif 000004
【図３】
2015144513.tif 000005
【図４】
2015144513.tif 000006
【図５】
2015144513.tif 000007
【図６】
2015144513.tif 000008